(57)【要約】      （修正有）【課題】左右に移動しながら円形の軌跡を描くことができる按摩玉による按摩により、按摩効果を増加できる変位式按摩器を提供する。【解決手段】その内部に第１収容室が設けられ、第１収容室は、その天部に設けられるガイド溝と、外部と連通する開口と、を有する外ケース２０と；第１収容室の底部に設けられ、その周面に設けられる係り歯を有するラック３０と；ガイド溝に規制されてガイド溝の延び方向に沿って移動する凸部４４と、第２収容室と、を有する内ケース４０と；連動ロッドと、第１連動ギヤと、第２連動ギヤと、を有する連動ユニットと；第２収容室に設けられ、モータと、第１連動軸と、第２連動軸と、駆動ギヤと、を含む駆動ユニットと；内ケースを挿通して外部に突出する第１連動軸に設けられる第１按摩ヘッド７１と；内ケース４０を挿通して外部に突出する第２連動軸に設けられる第２按摩ヘッド７２と；を含む。【選択図】図２
0003172560.tif 000002
【実用新案登録請求の範囲】
【請求項１】
第１収容室が内部に設けられ、前記第１収容室は、天部に設けられるガイド溝と、外部と連通する開口と、を有する外ケースと；
前記第１収容室の底部に設けられ、その周面に設けられる係り歯を有するラックと；
前記ガイド溝に規制されて前記ガイド溝の延び方向に沿って移動する凸部と、第２収容室と、を有し、前記第２収容室はその底部に設けられて外部と連通する円弧形穴を有する内ケースと；
前記円弧形穴を挿通して前記円弧形穴の延び方向に沿って移動する連動ロッドと、前記連動ロッドの一端に固定されて前記第２収容室内に位置する第１連動ギヤと、前記連動ロッドの他端に固定されて前記ラックと噛合う第２連動ギヤと、を有する連動ユニットと；
前記第２収容室に設けられ、モータと、前記第２収容室から前記内ケースを挿通して外部に突出してモータに駆動される第１連動軸と、前記第２収容室から前記内ケースを挿通して外部に突出してモータに駆動される第２連動軸と、前記第１連動ギヤと噛合ってモータに駆動される駆動ギヤと、を含む駆動ユニットと；
前記内ケースを挿通して外部に突出する前記第１連動軸に設けられ、前記外ケースにある前記開口を挿通して外部に突出する第１按摩ヘッドと；
前記内ケースを挿通して外部に突出する前記第２連動軸に設けられ、前記外ケースにある前記開口を挿通して外部に突出する第２按摩ヘッドと；
を含むことを特徴とする変位式按摩器。
【請求項２】
前記外ケースは上ケースと下ケースを合せて構成され、前記上ケースと前記下ケースを合せると、前記第１収容室が形成されることを特徴とする、請求項１に記載の変位式按摩器。
【請求項３】
前記内ケースは前ケース、後ろケースと底ケースを合せて構成され、前記前ケース、前記後ろケースと前記底ケースを合せると、前記第２収容室が形成され、前記円弧形穴が前記底ケースに設けられることを特徴とする、請求項１に記載の変位式按摩器。
【請求項４】
前記駆動ユニットは、更に、第１前ギヤと、第１後ろギヤと、第１ギヤと、転向ホイールと、第２前ギヤと、第２後ろギヤと、第２ギヤと、を含み、前記モータは歯付きリングが嵌め設けられている回転軸を有し、前記第１前ギヤは、前記回転軸の一側に回転可能に配され、前記歯付きリングと噛合う第１大歯部と、前記第１大歯部と共に同じ方向に回転する第１小歯部と、を有し、前記第１後ろギヤは、前記第１前ギヤの側辺に回転可能に配され、前記第１小歯部と噛合い、前記第１ギヤは、前記第１後ろギヤと噛合い、前記第１連動軸を嵌め可能な第１貫通孔を有し、前記転向ホイールは、前記第１ギヤと噛合う歯部と、前記歯部と共に同じ方向に回転して前記駆動ギヤと噛合う転向歯部と、を有し、前記第２前ギヤは、前記回転軸の他側に回転可能に配され、前記歯付きリングと噛合う第２大歯部と、前記第２大歯部と共に同じ方向に回転する第２小歯部と、を有し、前記第２後ろギヤは、前記第２前ギヤの側辺に回転可能に配され、前記第２小歯部と噛合い、前記第２ギヤは、前記第２後ろギヤと噛合い、前記第２連動軸を嵌め可能な第２貫通孔を有することを特徴とする、請求項１に記載の変位式按摩器。
【請求項５】
前記駆動ユニットの前記駆動ギヤは、前記転向ホイールの前記転向歯部と噛合う第１駆動歯部と、前記第１駆動歯部と同じ方向に回転して前記連動ユニットの前記第１連動ギヤと噛合う第２駆動歯部と、を有することを特徴とする、請求項４に記載の変位式按摩器。
【請求項６】
前記連動ユニットの前記連動ロッドと前記第１連動ギヤの間には、一方向軸受が設けられることを特徴とする、請求項１に記載の変位式按摩器。
【考案の詳細な説明】
【技術分野】
【０００１】
本考案は、按摩器に関し、特に、変位式按摩器に関するものである。
【背景技術】
【０００２】
国民は、按摩器による按摩により、心身的なストレスを解消する共に、筋肉の緊張を緩めることが一般的である。図１に示したのは従来の按摩器である。このような按摩器は、ベース１１と、モータ１２と、ウォーム１３と、二つのウォームギヤ１４と、二つの按摩玉１５と、ベース蓋１６と、から構成される。上記の構成により、モータ１２の末端に設けられるウォーム１３によって二つのウォームギヤ１４が駆動されて回転し、二つのウォームギヤ１４に二つの按摩玉１５がそれぞれある角度で斜めに配され、二つの按摩玉１５は、前記角度で傾斜し、その先端が円形の軌跡を描く。これにより、按摩効果を達成することができる。
【０００３】
しかしながら、按摩玉１５は、一箇所で円形の軌跡を描くことしかできず、左右に移動しながら円形の軌跡を描くことができないため、按摩効果が良くない。
【考案の概要】
【考案が解決しようとする課題】
【０００４】
本考案の主な目的は、左右に移動しながら円形の軌跡を描くことができる按摩玉による按摩によって、按摩効果を増加できる変位式按摩器を提供することにある。
【課題を解決するための手段】
【０００５】
本考案の変位式按摩器によると、その内部に第１収容室が設けられ、第１収容室は、その天部に設けられるガイド溝と、外部と連通する開口と、を有する外ケースと、第１収容室の底部に設けられ、その周面に設けられる係り歯を有するラックと、ガイド溝に規制されてガイド溝の延び方向に沿って移動する凸部と、第２収容室と、を有し、第２収容室はその底部に設けられて外部と連通する円弧形穴を有する内ケースと、円弧形穴を挿通して円弧形穴の延び方向に沿って移動する連動ロッドと、連動ロッドの一端に固定されて第２収容室内に位置する第１連動ギヤと、連動ロッドの他端に固定されてラックと噛合う第２連動ギヤと、を有する連動ユニットと、第２収容室に設けられ、モータと、第２収容室から内ケースを挿通して外部に突出してモータに駆動される第１連動軸と、第２収容室から内ケースを挿通して外部に突出してモータに駆動される第２連動軸と、第１連動ギヤと噛合ってモータに駆動される駆動ギヤと、を含む駆動ユニットと、内ケースを挿通して外部に突出する第１連動軸に設けられ、外ケースにある開口を挿通して外部に突出する第１按摩ヘッドと、内ケースを挿通して外部に突出する第２連動軸に設けられ、外ケースにある開口を挿通して外部に突出する第２按摩ヘッドと、を含むことを特徴とする。
【０００６】
本考案の変位式按摩器によると、外ケースは上ケースと下ケースを合せて構成され、上ケースと下ケースを合せると、第１収容室が形成されることを特徴とする。
【０００７】
本考案の変位式按摩器によると、内ケースは前ケース、後ろケースと底ケースを合せて構成され、前ケース、後ろケースと底ケースを合せると、第２収容室が形成され、円弧形穴が底ケースに設けられることを特徴とする。
【０００８】
本考案の変位式按摩器によると、駆動ユニットは、更に、第１前ギヤと、第１後ろギヤと、第１ギヤと、転向ホイールと、第２前ギヤと、第２後ろギヤと、第２ギヤと、を含み、モータは歯付きリングが嵌め設けられている回転軸を有し、第１前ギヤは、回転軸の一側に回転可能に配され、歯付きリングと噛合う第１大歯部と、第１大歯部と共に同じ方向に回転する第１小歯部と、を有し、第１後ろギヤは、第１前ギヤの側辺に回転可能に配され、第１小歯部と噛合い、第１ギヤは、第１後ろギヤと噛合い、第１連動軸を嵌め可能な第１貫通孔を有し、転向ホイールは、第１ギヤと噛合う歯部と、歯部と共に同じ方向に回転して駆動ギヤと噛合う転向歯部と、を有し、第２前ギヤは、回転軸の他側に回転可能に配され、歯付きリングと噛合う第２大歯部と、第２大歯部と共に同じ方向に回転する第２小歯部と、を有し、第２後ろギヤは、第２前ギヤの側辺に回転可能に配され、第２小歯部と噛合い、第２ギヤは、第２後ろギヤと噛合い、第２連動軸を嵌め可能な第２貫通孔を有することを特徴とする。
【０００９】
本考案の変位式按摩器によると、駆動ユニットの駆動ギヤは、転向ホイールの転向歯部と噛合う第１駆動歯部と、第１駆動歯部と同じ方向に回転して連動ユニットの第１連動ギヤと噛合う第２駆動歯部と、を有することを特徴とする。
【００１０】
本考案の変位式按摩器によると、連動ユニットの連動ロッドと第１連動ギヤの間には、一方向軸受が設けられることを特徴とする。
【考案の効果】
【００１１】
本考案の変位式按摩器によれば、左右に移動しながら円形の軌跡を描くことができる按摩玉による按摩により、按摩効果を増加できるという効果を有する。
【図面の簡単な説明】
【００１２】
【図１】従来の按摩器の組合済み状態を示す上面断面図である。
【図２】本考案の一実施例を示す分解斜視図である。
【図３】本考案の一実施例の組合済み状態を示す斜視図である。
【図４】本考案の一実施例の組合済み状態を示す断面図であって、内ケースが外ケースにあるガイド溝に規制されている状態を示す。
【図５】本考案の一実施例の分解斜視図であって、内ケース、連動ユニット、駆動ユニット、第１按摩ヘッド及び第２按摩ヘッドが分離されている状態を示す。
【図６】本考案の一実施例の組合済み状態を示す側面図であって、連動ユニット及び駆動ユニットの形態を示す。
【図７】本考案の一実施例の組合済み状態を示す斜視図であって、連動ユニットが外ケースに組合せられている状態を示す。
【図８Ａ】本考案の一実施例の作動状態を示す模式図であって、連動ユニットにより内ケースがラックに沿って外ケースの左側に変位する前の状態を示す。
【図８Ｂ】本考案の一実施例の作動状態を示す模式図であって、連動ユニットにより内ケースがラックに沿って外ケースの左側に変位した状態を示す。
【図８Ｃ】本考案の一実施例の作動状態を示す模式図であって、連動ユニットにより内ケースがラックに沿って外ケースの後ろ側に変位している状態を示す。
【図８Ｄ】本考案の一実施例の作動状態を示す模式図であって、連動ユニットにより内ケースがラックに沿って外ケースの後ろ側に変位した状態を示す。
【図８Ｅ】本考案の一実施例の作動状態を示す模式図であって、連動ユニットにより内ケースがラックに沿って外ケースの右側に変位する前の状態を示す。
【図８Ｆ】本考案の一実施例の作動状態を示す模式図であって、連動ユニットにより内ケースがラックに沿って外ケースの前側に変位している状態を示す。
【図９】本考案の別の実施例を示す分解斜視図である。
【図１０】本考案の別の実施例の一部の組合済み状態を示す拡大図である。
【考案を実施するための最良の形態】
【００１３】
以下、本考案の実施の形態を図面に基づいて説明する。
まず、図２乃至図７を参照する。本考案の一実施例の変位式按摩器は、外ケース２０と、ラック３０と、内ケース４０と、連動ユニット５０と、駆動ユニット６０と、第１按摩ヘッド７１と、第２按摩ヘッド７２と、から構成される。
【００１４】
外ケース２０は、上ケース２１と下ケース２２を合せて構成され、その内部に第１収容室２３が設けられる。第１収容室２３は、その天部に設けられるガイド溝２４と、外部と連通する開口２５と、を有する。
【００１５】
ラック３０は、螺子３１により第１収容室２３の底部に締結され、その周面に設けられる係り歯３２を有する。係り歯３２は環状に配列される。
【００１６】
内ケース４０は、前ケース４１、後ろケース４２と底ケース４３を合せて構成され、ガイド溝２４に規制されてガイド溝２４の延び方向に沿って移動する凸部４４と、第２収容室４５と、を有する。第２収容室４５は、底ケース４３に設けられて外部と連通する円弧形穴４６を有する。
【００１７】
連動ユニット５０は、円弧形穴４６を挿通して円弧形穴４６の延び方向に沿って移動する連動ロッド５１と、連動ロッド５１の一端に固定されて第２収容室４５内に位置する第１連動ギヤ５２と、連動ロッド５１の他端に固定されてラック３０の係り歯３２と噛合う第２連動ギヤ５３と、を有する。
【００１８】
図５及び図６を参照する。駆動ユニット６０は、第２収容室４５に設けられ、モータ６１と、第１前ギヤ６２と、第１後ろギヤ６３１と、第１ギヤ６４と、転向ホイール６５と、第２前ギヤ６６と、第２後ろギヤ６３２と、第２ギヤ６７と、第１連動軸６８１と、第２連動軸６８２と、第１連動ギヤ５２と噛合う駆動ギヤ６９と、を含む。
【００１９】
モータ６１は、歯付きリング６１１が嵌め設けられている回転軸６１２を有する。
【００２０】
第１前ギヤ６２は、回転軸６１２の一側に回転可能に配され、歯付きリング６１１と噛合う第１大歯部６２１と、第１大歯部６２１と共に同じ方向に回転する第１小歯部６２２と、を有する。
【００２１】
第１後ろギヤ６３１は、第１前ギヤ６２の側辺に回転可能に配され、第１小歯部６２２と噛合う。
【００２２】
第１ギヤ６４は、第１後ろギヤ６３１と噛合い、第１貫通孔６４１を有する。
【００２３】
転向ホイール６５は、第１ギヤ６４と噛合う歯部６５１と、歯部６５１と共に同じ方向に回転して駆動ギヤ６９と噛合う転向歯部６５２と、を有する。
【００２４】
第２前ギヤ６６は、回転軸６１２の他側に回転可能に配され、歯付きリング６１１と噛合う第２大歯部６６１と、第２大歯部６６１と共に同じ方向に回転する第２小歯部６６２と、を有する。
【００２５】
第２後ろギヤ６３２は、第２前ギヤ６６の側辺に回転可能に配され、第２小歯部６６２と噛合う。
【００２６】
第２ギヤ６７は、第２後ろギヤ６３２と噛合い、第２貫通孔６７１を有する。
【００２７】
第１連動軸６８１は、第１ギヤ６４の第１貫通孔６４１に嵌め設けられ、第２収容室４５から内ケース４０を挿通して外部に突出する。
【００２８】
第２連動軸６８２は、第２ギヤ６７の第２貫通孔６７１に嵌め設けられ、第２収容室４５から内ケース４０を挿通して外部に突出する。
【００２９】
駆動ギヤ６９は、転向ホイール６５の転向歯部６５２と噛合う第１駆動歯部６９１と、第１駆動歯部６９１と同じ方向に回転して連動ユニット５０の第１連動ギヤ５２と噛合う第２駆動歯部６９２と、を有する。
【００３０】
第１按摩ヘッド７１は、内ケース４０を挿通して外部に突出する第１連動軸６８１に設けられ、外ケース２０にある開口２５を挿通して外部に突出する。
【００３１】
第２按摩ヘッド７２は、内ケース４０を挿通して外部に突出する第２連動軸６８２に設けられ、外ケース２０にある開口２５を挿通して外部に突出する。
【００３２】
次に、本考案の一実施例の変位式按摩器の効果を説明する。駆動ユニット６０のモータ６１を回転しているときには、互いに連動する、第１前ギヤ６２、第１後ろギヤ６３１、第２前ギヤ６６、第２後ろギヤ６３２、第１ギヤ６４、第２ギヤ６７、第１連動軸６８１及び第２連動軸６８２により、第１按摩ヘッド７１及び第２按摩ヘッド７２が第１連動軸６８１及び第２連動軸６８２と共に回転する。これにより、按摩効果を得ることができる。一方、モータ６１により、駆動ギヤ６９が駆動されて回転して、連動ユニット５０が連動される。連動ユニット５０の連動により、内ケース４０はガイド溝２４の延び方向に沿って移動しながら外ケース２０の内部に横方向に沿って往復する。これにより、局所的な按摩を達成できる。
【００３３】
駆動ユニット６０の駆動ギヤ６９により連動ユニット５０が連動されるときに、内ケース４０がどのようにして、第１按摩ヘッド７１及び第２按摩ヘッド７２を外ケース２０の内部に横方向に沿って往復するかを説明する。
【００３４】
図８Ａ及び図８Ｂを参照する。反時計方向に回転する駆動ギヤ６９が連動ユニット５０の第１連動ギヤ５２を駆動して回転しているときには、第１連動ギヤ５２が時計方向に回転し、且つ連動ロッド５１により第２連動ギヤ５３も時計方向に回転する。このとき、図４に示すように、内ケース４０が外ケース２０のガイド溝２４に規制され、第２連動ギヤ５３がラック３０の係り歯３２の軌跡に沿って左方向に移動するため、第２連動ギヤ５３がラック３０の係り歯３２と噛合うことにより、内ケース４０が外ケース２０の左側に変位する。
【００３５】
図８Ｂ及び図８Ｃを参照する。内ケース４０が連動ユニット５０に連動されて外ケース２０の左側に移動し、且つ第２連動ギヤ５３がラック３０の係り歯３２の軌跡に沿って後ろに移動するときには、図４に示すように、内ケース４０が外ケース２０のガイド溝２４に規制されて後ろに変位できないため、第２連動ギヤ５３がラック３０の係り歯３２の軌跡に沿って後ろに移動するときに、第２連動ギヤ５３がラック３０の横方向の経路に位置するまで、連動ユニット５０の連動ロッド５１が内ケース４０に設けられた円弧形穴４６の形状に沿って移動する。
【００３６】
図８Ｄ及び図８Ｅを参照する。反時計方向に回転する駆動ギヤ６９により連動ユニット５０の第１連動ギヤ５２が回転するときには、内ケース４０が外ケース２０のガイド溝２４に規制され、第２連動ギヤ５３がラック３０の係り歯３２の軌跡に沿って右方向に移動するため、第２連動ギヤ５３がラック３０の係り歯３２と噛合うことにより、内ケース４０が外ケース２０の右側に変位する。
【００３７】
図８Ｅ及び図８Ｆを参照する。内ケース４０が連動ユニット５０に連動されて外ケース２０の右側に移動し、且つ第２連動ギヤ５３がラック３０の係り歯３２の軌跡に沿って前に移動するときには、内ケース４０が外ケース２０のガイド溝２４に規制されて前に変位できないため、第２連動ギヤ５３がラック３０の係り歯３２の軌跡に沿って前に移動するときに、第２連動ギヤ５３がラック３０の横方向の経路に位置するまで、連動ユニット５０の連動ロッド５１が内ケース４０に設けられた円弧形穴４６の形状に沿って移動する。
【００３８】
上記の説明から明らかなように、内ケース４０により、第１按摩ヘッド７１及び第１按摩ヘッド７２が連動されて外ケース２０内に左右に往復できる。本考案の変位式按摩器によれば、左右に移動しながら円形の軌跡を描くことができる按摩玉による按摩により、局所的な按摩を行うことができ、按摩効果を増加できる。
【００３９】
図６、図９及び図１０を参照する。連動ユニット５０の連動ロッド５１と第１連動ギヤ５２の間には、一方向軸受８０が設けられてもよい。一方向軸受８０は、第１連動ギヤ５２内に嵌め設けられる外リング８１と、連動ロッド５１に嵌め設けられて外リング８１に対して一方向だけに回転可能な内リング８２と、を有する。これにより、第１連動ギヤ５２は駆動ギヤ６９に一方向だけに駆動され可能である。このように、駆動ユニット６０のモータ６１を時計方向に回転しているときには、内ケース４０が外ケース２０内に左右に往復できる。なお、駆動ユニット６０のモータ６１を反時計方向に回転しているときには、一方向軸受８０により、駆動ギヤ６９が連動ユニット５０を連動せず、内ケース４０が変位しない。しかし、モータ６１の駆動により、第１按摩ヘッド７１及び第２按摩ヘッド７２はユーザを定点的に按摩できる。
【産業上の利用可能性】
【００４０】
本考案は、按摩器に適用することができる。
【符号の説明】
【００４１】
１１：ベース、１２：モータ、１３：ウォーム、１４：ウォームギヤ、１５：按摩玉、１６：ベース蓋、２０：外ケース、２１：上ケース、２２：下ケース、２３：第１収容室、２４：ガイド溝、２５：開口、３０：ラック、３１：螺子、３２：係り歯、４０：内ケース、４１：前ケース、４２：後ろケース、４３：底ケース、４４：凸部、４５：第２収容室、４６：円弧形穴、５０：駆動ユニット、５１：連動ロッド、５２：第１連動ギヤ、５３：第２連動ギヤ、６０：駆動ユニット、６１：モータ、６２：第１前ギヤ、６４：第１ギヤ、６５：転向ホイール、６６：第２前ギヤ、６７：第２ギヤ、６９：駆動ギヤ、７１：第１按摩ヘッド、７２：第２按摩ヘッド、８０：一方向軸受、８１：外リング、８２：内リング、６１１：歯付きリング、６１２：回転軸、６２１：第１大歯部、６２２：第１小歯部、６３１：第１後ろギヤ、６３２：第２後ろギヤ、６４１：第１貫通孔、６５１：歯部、６５２：転向歯部、６６１：第２大歯部、６６２：第２小歯部、６７１：第２貫通孔、６８１：第１連動軸、６８２：第２連動軸、６９１：第１駆動歯部、６９２：第２駆動歯部。
【図１】
0003172560.tif 000003
【図２】
0003172560.tif 000004
【図３】
0003172560.tif 000005
【図４】
0003172560.tif 000006
【図５】
0003172560.tif 000007
【図６】
0003172560.tif 000008
【図７】
0003172560.tif 000009
【図８Ａ】
0003172560.tif 000010
【図８Ｂ】
0003172560.tif 000011
【図８Ｃ】
0003172560.tif 000012
【図８Ｄ】
0003172560.tif 000013
【図８Ｅ】
0003172560.tif 000014
【図８Ｆ】
0003172560.tif 000015
【図９】
0003172560.tif 000016
【図１０】
0003172560.tif 000017